(57)【要約】【課題】施工現場での丈寸法の切り詰めによる調整を容易としたスクリーン装置を提供すること。【解決手段】左右に対向配置される、少なくとも一方がスライド移動可能な一対のスクリーン取付枠部２、３の間に、収縮および展開自在なスクリーン６が取り付けられ、スクリーンを収縮および展開方向に貫通して支持する張力部材８がスクリーン取付枠部の内部に引き回され、張力部材は、スライド移動可能なスクリーン取付枠部２の上端部から中央部寄りのところでスクリーン取付側と反対側の外部に引き出されている。【選択図】図１
2010037857.tif 000002
【特許請求の範囲】
【請求項１】
左右に対向配置される、少なくとも一方がスライド移動可能な一対のスクリーン取付枠部の間に、収縮および展開自在なスクリーンが取り付けられ、スクリーンを収縮および展開方向に貫通して支持する張力部材がスクリーン取付枠部の内部に引き回されたスクリーン装置において、張力部材は、スライド移動可能なスクリーン取付枠部の上端部から中央部寄りのところでスクリーン取付側と反対側の外部に引き出されていることを特徴とするスクリーン装置。
【請求項２】
左右に対向配置される、少なくとも一方がスライド移動可能な一対のスクリーン取付枠部の間に、収縮および展開自在なスクリーンが取り付けられ、スクリーンの下端部付近にスライドガイド枠部が配設され、スライドガイド枠部は、対向配置された一対の側壁部と両側壁部を相互に繋ぐ架橋部とを有する剛性ユニットが隣り合う２つの剛性ユニットの間で回動自在に連設されて形成され、スライドガイド枠部は、屈曲性を有し、少なくとも一端が自由端とされてスライド移動可能なスクリーン取付枠部内に収納および引き出し可能とされる一方、スクリーン取付枠部のスライド移動にともなってスクリーン取付枠部から引き出されたときにスライドガイド枠部の引き出された部分は直線性を保持するスクリーン装置であって、スライドガイド枠部の自由端に一端が固定された張力部材が、スライド移動可能なスクリーン取付枠部の内部に引き込まれるとともに、スライド移動可能なスクリーン取付枠部の上端部から中央部寄りのところでスクリーン取付側と反対側の外部に引き出されていることを特徴とするスクリーン装置。
【請求項３】
張力部材の他端が、スライド移動可能なスクリーン取付枠部に対向配置される戸当りに固定されているか、またはスライド移動可能なスクリーン取付枠部のスライド移動をその上端部においてガイドする上レールに固定されていることを特徴とする請求項２に記載のスクリーン装置。
【請求項４】
一対のスクリーン取付枠部はともにスライド移動可能とされ、両端が自由端とされたスライドガイド枠部が両スクリーン取付枠部内に収納および引き出し可能とされ、張力部材の他端が、スライドガイド枠部において一端が固定された自由端と反対側の自由端に固定され、両スクリーン取付枠部の上端部から中央部寄りのところでスクリーン取付側と反対側に引き出された張力部材は、上レールの内部に引き込まれ、ループを形成していることを特徴とする請求項３に記載のスクリーン装置。
【請求項５】
一対のスクリーン取付枠部の間にセンターピラーが配設され、センターピラーは、両スクリーン取付枠部と同方向にスライド移動可能とされ、スクリーンを収縮および展開方向に貫通して支持する１本または２本以上の複数本の張力部材の内、少なくとも１本がセンターピラーに固定されていることを特徴とする請求項４に記載のスクリーン装置。
【発明の詳細な説明】
【技術分野】
【０００１】
本発明は、カーテン、ブラインド、網戸、さらに間仕切りなどとして用いることのできる多用途のスクリーン装置に関する。
【背景技術】
【０００２】
カーテン、ブラインドなどの遮光および調光手段や網戸、間仕切りなどに適用可能な、スムーズで安定した開閉操作を実現する装置として、本出願人は、スクリーン装置を提供している（たとえば特許文献１、２）。
【０００３】
特許文献１に記載したスクリーン装置では、開閉方向にスライド移動自在なスライドバーと、このスライドバーに対向して配置された一つの枠部との間に、複数のプリーツ部を有する折畳および展開自在なスクリーン部材が支持されている。このスクリーン部材を開閉方向に貫通し、スライドバーの内部において内蔵された方向転換手段により折り返され、交差する２本のワイヤー部材が、対向配置された一対の枠部に張設されている。このような２本のワイヤー部材によってスムーズで安定した開閉操作を実現している。
【０００４】
特許文献２に記載したスクリーン装置では、対向配置された、少なくとも一方がスライド移動可能な一対のスクリーン取付枠部に、スクリーンが、両スクリーン取付枠部間に収縮および展開自在に取り付けられ、スクリーン取付枠部への取付側でないスクリーンの両端部付近にスライドガイド枠部が一対配設されている。スライドガイド枠部は、対向配置された一対の側壁部とこれを相互に繋ぐ架橋部とを有する剛性ユニットが隣り合う２つの剛性ユニットの間で回動自在に連設されて形成され、スライドガイド枠部は、屈曲性を有し、少なくとも一端が自由端とされてスクリーン取付枠部内に収納および引き出し可能とされている。スライド移動可能なスクリーン取付枠部のスライド移動にともなって、スクリーン取付枠部から引き出されたスライドガイド枠の部分は直線性を保持する。このようなスライドガイド枠部によってスムーズで安定した開閉操作を実現し、設置の制約を解消してもいる。
【特許文献１】特許第２７４９４７３号公報
【特許文献２】特許第３４０３６５２号公報
【発明の開示】
【発明が解決しようとする課題】
【０００５】
上記スクリーン装置は、その優れた開閉操作性や施工性などから汎用されているが、スクリーン装置が設置される開口部などの大きさは、ある程度規格化されているとはいえ幾つかあり、その全てに対応してスクリーン装置を製造するとなると、スクリーン装置は多品種なものとなり、製品の安定供給や在庫管理などの面で問題が生じる。また、開口部などの大きさは建物の建付け具合などによって微妙に異なる場合が多く、たとえ規格化されていても施工現場での調整が余儀なくされることが多い。特に横開き式のスクリーン装置では丈寸法の調整が必要とされる。
【０００６】
また、一般に、スクリーン装置は、品質安定性などを考慮して製造工場において主要な部分が組み立てられて出荷されている。したがって、施工現場において調整する際には、組み立てられたものを一旦分解し、スライドバー、スクリーン取付枠部およびスクリーンなどを切断した後、再度組み立てることになり、施工作業が煩雑化してしまう。
【０００７】
本発明は、以上の通りの事情に鑑みてなされたものであり、施工現場での丈寸法の切り詰めによる調整を容易としたスクリーン装置を提供することを課題としている。
【課題を解決するための手段】
【０００８】
本発明は、上記の課題を解決するために、以下の特徴を有している。
【０００９】
第１の発明は、左右に対向配置される、少なくとも一方がスライド移動可能な一対のスクリーン取付枠部の間に、収縮および展開自在なスクリーンが取り付けられ、スクリーンを収縮および展開方向に貫通して支持する張力部材がスクリーン取付枠部の内部に引き回されたスクリーン装置において、張力部材は、スライド移動可能なスクリーン取付枠部の上端部から中央部寄りのところでスクリーン取付側と反対側の外部に引き出されていることを特徴としている。
【００１０】
第２の発明は、左右に対向配置される、少なくとも一方がスライド移動可能な一対のスクリーン取付枠部の間に、収縮および展開自在なスクリーンが取り付けられ、スクリーンの下端部付近にスライドガイド枠部が配設され、スライドガイド枠部は、対向配置された一対の側壁部と両側壁部を相互に繋ぐ架橋部とを有する剛性ユニットが隣り合う２つの剛性ユニットの間で回動自在に連設されて形成され、スライドガイド枠部は、屈曲性を有し、少なくとも一端が自由端とされてスライド移動可能なスクリーン取付枠部内に収納および引き出し可能とされる一方、スクリーン取付枠部のスライド移動にともなってスクリーン取付枠部から引き出されたときにスライドガイド枠部の引き出された部分は直線性を保持するスクリーン装置であって、スライドガイド枠部の自由端に一端が固定された張力部材が、スライド移動可能なスクリーン取付枠部の内部に引き込まれるとともに、スライド移動可能なスクリーン取付枠部の上端部から中央部寄りのところでスクリーン取付側と反対側の外部に引き出されていることを特徴としている。
【００１１】
第３の発明は、上記第２の発明の特徴において、張力部材の他端が、スライド移動可能なスクリーン取付枠部に対向配置される戸当りに固定されているか、またはスライド移動可能なスクリーン取付枠部のスライド移動をその上端部においてガイドする上レールに固定されていることを特徴としている。
【００１２】
第４の発明は、上記第３の発明の特徴において、一対のスクリーン取付枠部はともにスライド移動可能とされ、両端が自由端とされたスライドガイド枠部が両スクリーン取付枠部内に収納および引き出し可能とされ、張力部材の他端が、スライドガイド枠部において一端が固定された自由端と反対側の自由端に固定され、両スクリーン取付枠部の上端部から中央部寄りのところでスクリーン取付側と反対側に引き出された張力部材は、上レールの内部に引き込まれ、ループを形成していることを特徴としている。
【００１３】
第５の発明は、上記第４の発明の特徴において、一対のスクリーン取付枠部の間にセンターピラーが配設され、センターピラーは、両スクリーン取付枠部と同方向にスライド移動可能とされ、スクリーンを収縮および展開方向に貫通して支持する１本または２本以上の複数本の張力部材の内、少なくとも１本がセンターピラーに固定されていることを特徴としている。
【発明の効果】
【００１４】
上記第１の発明によれば、スクリーンを収縮および展開方向に貫通して支持し、スクリーン取付枠部の内部に引き回された張力部材が、スライド移動可能なスクリーン取付枠部の上端部から中央部寄りのところでスクリーン取付側と反対側の外部に引き出されているため、張力部材が外部に引き出されている部分から上側においてスクリーン装置を電動鋸などの切断工具を用いて切断し、開口部などの大きさに合うように丈寸法を切り詰めることができる。施工現場での寸法の切り詰めによる調整が容易となる。
【００１５】
上記第２の発明によれば、スライドガイド枠部は、スクリーンの下端部付近に配設され、スクリーンの上端部付近には配設されてなく、しかもスライドガイド枠部の自由端に一端が固定され、スライド移動可能なスクリーン取付枠部の内部に引き込まれた張力部材が、スライド移動するスクリーン取付枠部の上端部から中央部寄りのところでスクリーン取付側と反対側の外部に引き出されているため、上記第１の発明と同様に、張力部材が外部に引き出されている部分から上側においてスクリーン装置を電動鋸などの切断工具を用いて切断し、開口部などの大きさに合うように丈寸法を切り詰めることができる。施工現場での寸法の切り詰めによる調整が容易となる。
【００１６】
上記第３の発明によれば、上記第２の発明の効果に加え、張力部材の他端は、スライド移動可能なスクリーン取付枠部に対向配置される戸当りに固定したり、スライド移動可能なスクリーン取付枠部のスライド移動をその上端部においてガイドする上レールに固定したりすることができ、施工現場の状況などに応じて固定部位を選択することができる。また、上レールに固定する場合、戸当りを省略することも可能となり、スクリーン装置の部品を削減することができ、在庫管理が容易となる。
【００１７】
上記第４の発明によれば、上記第３の発明の効果に加え、一対のスクリーン取付枠部はともにスライド移動可能とされ、両端が自由端とされたスライドガイド枠部が両スクリーン取付枠部内に収納および引き出し可能とされているので、スクリーンを建物の開口部などの全体に展開したときのスクリーン装置の横幅が拡大され、スクリーン装置の設計における幅と丈の比率の自由度が拡大する。
【００１８】
また、張力部材の他端が、スライドガイド枠部において一端が固定された自由端と反対側の自由端に固定され、両スクリーン取付枠部の上端部から中央部寄りのところでスクリーン取付側と反対側に引き出された張力部材は、上レールの内部に引き込まれ、ループを形成しているので、スクリーンを建物の開口部などの全体に展開した状態において、スクリーン装置はほぼ左右対称の構造を有し、左右勝手に差はなく、両スクリーン取付枠部のどちらで操作しても同じ操作感が得られる。しかも、両スクリーン取付枠部の操作性および安定した平行移動が向上する。
【００１９】
上記第５の発明によれば、上記第４の発明の効果に加え、センターピラーを備え、スクリーンを収縮および展開方向に貫通して支持する少なくとも１本の張力部材がセンターピラーに固定されているので、耐風圧性能が高まり、強風時にも形状および構造が安定して保持される。また、広幅のスクリーン装置であっても、センターピラーによって収納代が拡大するので、折り畳まれて収縮するスクリーンを完全に収納することができ、スクリーンが露出せず、外観が良好となるとともに、収納時のスクリーンが汚れにくくなる。センターピラーは、後付けも可能であり、施工現場に応じて開口部などの大きさに合わせ、広幅のスクリーン装置に調整することができる。
【発明を実施するための最良の形態】
【００２０】
図１は、本発明のスクリーン装置の一実施形態を示した分解斜視図である。
【００２１】
図１に示したスクリーン装置１は第１の発明に対応している。
【００２２】
スクリーン装置１では、一対のスクリーン取付枠部２、３が配設され、スクリーン取付枠部２は左側に、スクリーン取付枠部３は右側に位置し、左右に対向して配置されている。両スクリーン取付枠部２、３はともに、上下方向に延びる中空なバー状の部材であり、アルミニウムなどの軽量材料により押出成形などが可能とされている。また、両スクリーン取付枠部２、３は、長さ方向に垂直な断面は略コ字型の形状を有している。
【００２３】
スクリーン取付枠部２はスライド移動が可能とされ、左右方向にスライド移動する。スクリーン装置１では、断面略コ字型の形状を有する上レール４が配設され、上レール４は、たとえばドアや窓などの建物の開口部内縁の上側などに沿って横方向に取り付けられる。また、スクリーン装置１では、上レール４に対向して下方に配置される下レール５が配設され、下レール５は、たとえば建物の開口部内縁の下側などに沿って横方向に取り付けられる。スクリーン取付枠部２は、上端部が上レール４の内側に収められ、下端部が下レール５上に配置されている。したがって、スクリーン取付枠部２の左右方向のスライド移動は、上レール４および下レール５にガイドされ、安定性が高められている。
【００２４】
スクリーン取付枠部３は固定されている。たとえば建物の開口部内縁の右側などに固定される。スクリーン取付枠部３の上端部も上レール４の内側に収められ、外観上の共通化が図られている。
【００２５】
このようなスクリーン取付枠部２、３の間にスクリーン６が取り付けられている。スクリーン６は、プリーツ加工によりプリーツが付けられ、スクリーン取付枠部２、３の間に収縮および展開自在とされている。スクリーン６は、スクリーン装置１を網戸などとして使用する場合にはネットから形成することができ、スクリーン装置１の用途に応じて布、樹脂製のシートなどからも形成することができる。また、プリーツ加工によるプリーツ以外に、たとえばハニカム構造などによって収縮および展開自在とすることができる。
【００２６】
スクリーン６は、スクリーン取付枠部２が左側にスライド移動する際に、建物の開口部などに展開し、遮光および調光、虫などの侵入などの機能を果たす。一方、スクリーン取付枠部２が右側にスライド移動すると、スクリーン６は収縮し、スクリーン取付枠部２、３の間に折り畳まれる。
【００２７】
スクリーン６は、左右両端部に支持プレート７が取り付けられ、支持プレート７を介してスクリーン取付枠部２、３に取り付けられている。スクリーン取付枠部２、３の内側には幅方向に突出するリブが配設されている。スクリーン取付枠部２には、そのリブの左側に支持プレート７が挿入され、支持プレート７がリブに係合することによってスクリーン６が取り付けられている。スクリーン取付枠部３には、リブの右側に支持プレート７が挿入されてリブに係合することによってスクリーン６が取り付けられている。支持プレート７とリブの係合は片持ち式または両持ち式のいずれであってもよく、また、取付作業が容易な適宜な係合方式が採用される。
【００２８】
スクリーン６の折り畳まれ、収縮した部分は、スクリーン取付枠部２ではリブの右側に、スクリーン取付枠部３では左側に収納され、スクリーン取付枠部２は、右方向にはその右側の端面がスクリーン取付枠部３の左側の端面に接触するまで移動し、このとき、折り畳まれ、収縮したスクリーン６は、スクリーン取付枠部２、３の内側に収納され、露出しない。
【００２９】
さらに、スクリーン装置１では、スクリーン６を収縮および展開方向に貫通する張力部材８が配設されている。張力部材８は、一端８１と他端８２を有し、スクリーン取付枠部２、３の内部に引き回され、一端８１側および他端８２側がともにスライド可能なスクリーン取付枠部２から外部に引き出されている。張力部材８は、プリーツ状のスクリーン６を支持する部材であり、張力部材８によってスクリーン６の自立性が確保されるとともに、面強度が高められている。また、収縮および展開が張力部材８にガイドされ、スムーズに行われる。さらに、張力部材８は、スクリーン取付枠部２を左右方向にスライド移動させる際の操作荷重を均一化し、スライド操作をスムーズなものとしている。
【００３０】
このような張力部材８は、１本であっても、２本以上の複数本であってもよく、また、スクリーン取付枠部２の内部における引き回し方も、上記効果を考慮し、必要な張力が得られるように適宜なものとすることができる。たとえば、スクリーン取付枠部２の内部において一端８１側と他端８２側を交差させて引き回したり、交差させず、一端８１側と他端８２側が互いに離間するように引き回したりなどすることができる。張力部材８には、紐、ワイヤーなどの張力が発生する適宜な線材が採用される。素材については耐久性などを考慮して適宜なものが選択される。
【００３１】
そして、スクリーン装置１では、張力部材８の一端８１側が、スクリーン取付枠部２の上端部から中央部寄りのところでスクリーン６の取付側と反対側の外部に引き出されている。引き出された張力部材８の一端８１側は、スクリーン取付枠部２のスクリーン６の取付側と反対側の外面に沿ってスクリーン取付枠部２の上端に向かい、スクリーン取付枠部２の上端部に取り付けられた上キャップ９に掛けられて左側に屈曲され、スクリーン取付枠部２に対向して左方に配置された戸当り１０に固定ピース１１を介して固定されている。戸当り１０は、建物の開口部内縁の左側などに固定され、スクリーン取付枠部２のスライド移動の左側の限界を規定している。戸当り１０の上端部も上レール４の内側に収められ、外観上の共通化が図られている。
【００３２】
上キャップ９に掛けられて左側に屈曲した張力部材８の一端８１側は、一旦上レール４の内部に引き込まれ、戸当り１０の上端部に取り付けられた上キャップ１２に掛けられて下側に屈曲され、戸当り１０の内部に引き込まれている。張力部材８の一端８１側は、その先端部に固定ピース１１が結び付けられており、固定ピース１１が戸当り１０にネジ１３などによって固定されることによって戸当り１０に固定されている。固定ピース１１の固定位置は戸当り１０の高さ方向に変更自在であり、張力部材８の長さなどを考慮し、必要な張力が得られる適当な位置に固定ピース１１は固定することができる。
【００３３】
このように、張力部材８の一端８１側は、スクリーン取付枠部２の中央部から上端寄りのところで外部に引き出されているが、引き出された一端８１側は、スクリーン取付枠部２のスクリーン６の取付側と反対側の外面に沿って上方に延び、スクリーン取付枠部２の上端から上レール４の内部に引き込まれ、また、戸当り１０の上端から内部に引き込まれているので、一端８１側は、建物の開口部などに露出しない。一端８１側が、たとえば窓の開閉操作や人の出入りなどに邪魔になることはなく、外観上も良好となる。
【００３４】
一方、張力部材８の他端８２側は、スクリーン取付枠部２の下端から外部に引き出され、スクリーン取付枠部２の下端部に取り付けられた、上キャップ９と同様に機能する下キャップ１４に掛けられて左側に屈曲されている。屈曲した張力部材８の他端８２側は、下レール５に沿って左方向に延び、戸当り１０の下端部に取り付けられた下キャップ１５に掛けられて上側に屈曲され、戸当り１０の内部に引き込まれている。張力部材８の他端８２側も、その先端部に固定ピース１１が結び付けられており、固定ピース１１が戸当り１０にネジ１３などによって固定されることによって戸当り１０に固定されている。固定ピース１１の固定位置の変更については上記の通りである。このように、張力部材８の他端８２側も建物の開口部などに露出することはなく、たとえば窓の開閉操作や人の出入りなどに邪魔にならず、外観上も良好となる。一端８１側および他端８２側の戸当り１０への固定によって張力部材８には必要な張力がかかる。
【００３５】
スクリーン装置１は、通常、スクリーン取付枠部２、３の間にスクリーン６が取り付けられ、張力部材８が配線された状態に工場で組み立てられて出荷される。張力部材８の配線は、一端８１側および他端８２側がスクリーン取付枠部２から外部に引き出されるまで行われる。施工現場では、この状態のまま建物の開口部などにスクリーン装置１が設置される。
【００３６】
スクリーン装置１の大きさは、建物の開口部などの大きさを見越してある程度規格化しておくことができるが、全ての開口部などの大きさに対応して生産することは難しい。また、開口部などの大きさは建物の建付け具合などによって微妙に異なることが多いため、横開き式のスクリーン装置１の場合、丈寸法が開口部などの縦寸法に合わせて調整が必要とされる。
【００３７】
スクリーン装置１では、上記の通り、スクリーン６を収縮および展開方向に貫通して支持し、スクリーン取付枠部２、３の内部に引き回された張力部材８が、スライド移動可能なスクリーン取付枠部２の上端部から中央部寄りのところでスクリーン６の取付側と反対側の外部に引き出されているため、スクリーン装置１の丈寸法が建物の開口部などの縦寸法よりも長い場合には、張力部材８が外部に引き出されている部分から上側においてスクリーン装置１を、図２に示したように、電動鋸１６などの切断工具を用いて切断し、開口部などの縦寸法に合うように丈寸法を切り詰めることができる。この切断によって、スクリーン取付枠部２、３、支持プレート７およびスクリーン６は一度に切断され、切断は、張力部材８により支障されず、張力部材８が配線された工場出荷の組み立て状態のまま行うことができる。その際には、上キャップ９をスクリーン取付枠部２から取り外しておくことができる。張力部材８を一旦引き抜いて切断し、配線するなどの分解および再組立を行う必要がなく、施工現場での寸法の切り詰めによる調整は容易である。
【００３８】
図３は、図１に示したスクリーン装置１に基づく本発明のスクリーン装置の一実施形態を示した斜視図である。図３図中には図１に示したスクリーン装置１に対応する部分に同一の符号を付し、その説明を省略する。
【００３９】
図１に示したスクリーン装置１はいわゆる片開き式であるが、図３に示したスクリーン装置１７は両開き式である。一方、スクリーン装置１７は、図１に示したスクリーン装置１を基本としており、スクリーン装置１７では、スクリーン装置１から戸当たり１０ならびに張力部材８の一端８１側および他端８２側を戸当たり１０に固定するための固定ピース１１、上キャップ１２、ネジ１３および下キャップ１５を除いた部分をユニット１８とし、２つのユニット１８がほぼ左右対称に配設されている。
【００４０】
また、スクリーン装置１７では、左側のユニット１８においてスクリーン取付枠部２から外部に引き出され、上キャップ９で屈曲し、右方向に延びる張力部材８の一端８１側は、その先端部において上レール４の右端部に取り付けられる右キャップ１９に連結されている。同様に、右側のユニット１８においてスクリーン取付枠部２から外部に引き出され、上キャップ９で屈曲し、左方向に延びる張力部材８の一端８１側は、その先端部において上レール４の左端部に取り付けられる、右キャップ１９と同一構成を有する左キャップ２０に連結されている。このような上レール４に取り付けられる右キャップ１９および左キャップ２０への連結によって、張力部材８の一端８１側は上レール４に固定される。
【００４１】
左側のユニット１８においてスクリーン取付枠部２の下端から外部に引き出され、下キャップ１４で屈曲し、右方向に延びる張力部材８の他端８２側は、その先端部において下レール５の右端部に配設される固定部材２１に連結されている。同様に、右側のユニット１８においてスクリーン取付枠部２の下端から外部に引き出され、下キャップ１４で屈曲し、左方向に延びる張力部材８の他端８２側は、その先端部において下レール５の左端部に配設される、固定部材２１と同一構成を有する固定部材２２に連結されている。このような固定部材２１、２２への連結によって、張力部材８の一端８２側は開口部内縁の下側などに固定される。そして、左右のユニット１８に配設された張力部材８には必要な張力がかかり、しかも一端８１側、他端８２側は、それぞれ、上レール４の内部に引き込まれ、下レール５に沿って左方向に延びるので、建物の開口部などに露出しない。一端８１側および他端８２側が、たとえば窓の開閉操作や人の出入りなどに邪魔になることはなく、外観上も良好となる。
【００４２】
スクリーン装置１７では、上記の通りのユニット１８が２つほぼ左右対称に配設されているので、図１に示したスクリーン装置１と同様に、張力部材８がスライド移動可能なスクリーン取付枠部２の外部に引き出されている部分から上側においてユニット１８を、図２に示したように、電動鋸１６などの切断工具を用いて切断し、開口部などの縦寸法に合うように丈寸法を切り詰めることができる。その際には、左右のユニット１８において上キャップ９をスクリーン取付枠部２から取り外しておくことができ、施工現場での寸法の切り詰めによる調整は容易である。
【００４３】
図４は、本発明のスクリーン装置の一実施形態を示した正面図である。
【００４４】
図４に示したスクリーン装置２３は第２の発明に対応している。
【００４５】
スクリーン装置２３では、一対のスクリーン取付枠部２４、２５が配設され、スクリーン取付枠部２４は左側に、スクリーン取付枠部２５は右側に位置し、左右に対向して配置されている。両スクリーン取付枠部２４、２５はともに、上下方向に延びる中空なバー状の部材であり、アルミニウムなどの軽量材料により押出成形などが可能とされている。また、両スクリーン取付枠部２４、２５は、長さ方向に垂直な断面は略コ字型の形状を有している。
【００４６】
スクリーン取付枠部２４はスライド移動が可能とされ、左右方向にスライド移動する。スクリーン装置２３では、断面略コ字型の形状を有する上レール２６が配設され、上レール２６は、たとえばドアや窓などの建物の開口部内縁の上側などに沿って横方向に取り付けられる。また、スクリーン装置２３では、上レール２６に対向して下方に配置される下レール２７が配設され、下レール２７は、たとえば建物の開口部内縁の下側などに沿って横方向に取り付けられる。スクリーン取付枠部２４は、上端部が上レール２６の内側に収められ、下端部が下レール２７上に配置されている。したがって、スクリーン取付枠部２４の左右方向のスライド移動は、上レール２６および下レール２７にガイドされ、安定性が高められている。
【００４７】
スクリーン取付枠部２５は固定されている。たとえば建物の開口部内縁の右側などに固定される。スクリーン取付枠部２５の上端部も上レール２６の内側に収められ、外観上の共通化が図られている。
【００４８】
このようなスクリーン取付枠部２４、２５の間にスクリーン２８が取り付けられている。スクリーン２８は、図示を省略しているが、プリーツ加工によりプリーツが付けられ、スクリーン取付枠部２４、２５の間に収縮および展開自在とされている。スクリーン２８は、スクリーン装置２３を網戸などとして使用する場合にはネットから形成することができ、スクリーン装置２３の用途に応じて布、樹脂製のシートなどからも形成することができる。また、プリーツ加工によるプリーツ以外に、たとえばハニカム構造などによって収縮および展開自在とすることができる。
【００４９】
スクリーン２８は、スクリーン取付枠部２４が左側にスライド移動する際に、建物の開口部などに展開し、遮光および調光、虫などの侵入などの機能を果たす。一方、スクリーン取付枠部２４が右側にスライド移動すると、スクリーン２８は収縮し、スクリーン取付枠部２４、２５の間に折り畳まれる。スクリーン２８の折り畳まれ、収縮した部分は、スクリーン取付枠部２４では右側に、スクリーン取付枠部２５では左側に収納され、スクリーン取付枠部２４は、右方向にはその右側の端面がスクリーン取付枠部２５の左側の端面に接触するまで移動し、このとき、折り畳まれ、収縮したスクリーン２８は、スクリーン取付枠部２４、２５の内側に収納され、露出しない。
【００５０】
さらに、スクリーン装置２３では、スクリーン２８の下端部付近にスライドガイド枠部２９が配設されている。スライドガイド枠部２９は、剛性ユニット３０が隣り合う２つの剛性ユニット３０の間で回動自在に連設されて形成されている。スライドガイド枠部２９については、上記特許文献２などに記載し、これまでに提供しているスライドガイド枠部を採用することができる。説明の簡略化のために図示を一部省略しているが、剛性ユニット３０は、対向配置された一対の側壁部と、両側壁部を相互に繋ぐ架橋部とを有している。側壁部には、長さ方向の一端部に外側に突出する突起が配設され、他端部に突起と係合可能な貫通孔３１が形成されている。また、側壁部には、上記突起に隣接して貫通孔３１と反対側の位置に外側に突出する小突起が配設されるとともに、貫通孔３１に隣接して上記突起の側に略三日月状の長孔３２が形成されている。このような剛性ユニット３０が、隣り合う２つの剛性ユニット３０において、上記突起を貫通孔３１に側壁部の内側から嵌め込んで係合させるとともに、上記小突起を長孔３２に差し込むことにより回動自在に連設され、スライドガイド枠部２９を形成している。このため、スライドガイド枠部２９は、屈曲性を有し、また、上記小突起が長孔３２の長さ方向の一端に接触し、剛性ユニット３０の回動が規制されることによって直線性を保持することが可能となってもいる。
【００５１】
スライドガイド枠部２９は、右端においてスクリーン取付枠部２５に固定されている。一方、スライドガイド枠部２９の左端は自由端とされ、スライド移動可能なスクリーン取付枠部２４内に収納および引き出し可能とされている。スクリーン取付枠部２４を左方向にスライド移動させると、スライドガイド枠部２９はスクリーン取付枠部２４から引き出され、引き出された部分は直線性を保持する。一方、スクリーン取付枠部２４を右方向にスライド移動させると、スライドガイド枠部２９は、スクリーン取付枠部２４の下端部において屈曲し、スクリーン取付枠部２４の内部に収納される。このようなスライドガイド枠部２９のスクリーン取付枠部２４内の収納および引き出しは、スクリーン２８の収縮および展開に同期して行われる。スライドガイド枠部２９は、建物の開口部などに露出することはなく、たとえば窓の開閉操作や人の出入りなどに邪魔にならず、外観上も良好となる。
【００５２】
また、スクリーン装置２３では、張力部材３３が配設されている。張力部材３３は、一端３３１および他端３３２を有し、一端３３１がスライドガイド枠部２９の左端側の自由端に固定され、スライド移動可能なスクリーン取付枠部２４の内部に引き込まれている。また、張力部材３３は、スクリーン取付枠部２４の上端部から中央部寄りのところでスクリーン２８の取付側と反対側の外部に引き出されている。張力部材３３がスクリーン取付枠部２４から外側に引き出される部分には、摩擦を軽減するなどのためにクランクピース３４が配設され、クランクピース３４はネジ３５によってスクリーン取付枠部２４に固定されている。
【００５３】
引き出された張力部材３３の他端３３２側は、スクリーン取付枠部２４のスクリーン２８の取付側と反対側の外面に沿ってスクリーン取付枠部２４の上端に向かい、スクリーン取付枠部２４の上端部に取り付けられた上キャップ３６に掛けられて左側に屈曲され、スクリーン取付枠部２４に対向して左方に配置された戸当り３７に固定ピース３８を介して固定されている。戸当り３７は、建物の開口部内縁の左側などに固定され、スクリーン取付枠部２４のスライド移動の左側の限界を規定している。戸当り３７の上端部も上レール２６の内側に収められ、外観上の共通化が図られている。
【００５４】
上キャップ３６に掛けられて左側に屈曲した張力部材３３の他端３３２側は、一旦上レール２６の内部に引き込まれ、戸当り３７の上端部に取り付けられた上キャップ３９に掛けられて下側に屈曲され、戸当り３７の内部に引き込まれている。張力部材３３の他端３３２側は、その先端部に固定ピース３８が結び付けられており、固定ピース３８が戸当り３７にネジ４０などによって固定されることによって戸当り３７に固定されている。固定ピース３８の固定位置は戸当り３７の高さ方向に変更自在であり、張力部材３３の長さなどを考慮し、必要な張力が得られる適当な位置に固定ピース３８は固定することができる。
【００５５】
このように、張力部材３３の他端３３２側は、スクリーン取付枠部２４の中央部から上端寄りのところで外部に引き出されているが、引き出された他端３３２側は、スクリーン取付枠部２４のスクリーン２８の取付側と反対側の外面に沿って上方に延び、スクリーン取付枠部２４の上端から上レール２６の内部に引き込まれ、また、戸当り３７の上端から内部に引き込まれているので、他端３３２側は、建物の開口部などに露出しない。他端３３２側が、たとえば窓の開閉操作や人の出入りなどに邪魔になることはなく、外観上も良好となる。
【００５６】
なお、張力部材３３の他端３３２側は、建物の開口部などに露出しない限り、戸当り３７ではなく、上レール２６の左端部に固定ピース３８を介して固定することもできる。張力部材３３の他端３３２側を上レール２６の左端部に固定する場合、戸当り３７は省略することも可能となり、スクリーン装置２３の部品を削減することができ、在庫管理が容易となる。
【００５７】
スクリーン装置２３では、スクリーン取付枠部２４が左方向にスライド移動する際には、スライドガイド枠部２９および張力部材３３に働く張力によって、スクリーン取付枠部２４は、固定されているスクリーン取付枠部２５に対して平行な状態を保持することができる。また、スクリーン取付枠部２４が右方向にスライド移動する際には、張力部材３３に働く張力とスライドガイド枠部２９に働く圧縮力によって、スクリーン取付枠部２４は、固定されているスクリーン取付枠部２５に対して平行な状態を保持することができる。このため、スクリーン取付枠部２４は、左右方向に安定してスムーズにスライド移動することができ、また、スクリーン取付枠部２の操作荷重が均一化し、スライド操作がスムーズになっている。
【００５８】
なお、張力部材３３には、紐、ワイヤーなどの張力が発生する適宜な線材が採用される。素材については耐久性などを考慮して適宜なものが選択される。
【００５９】
さらに、スクリーン装置２３には、スクリーン２８の大きさなどに応じてプリーツ状のスクリーン２８を支持するために、スクリーン２８を収縮および展開方向に貫通する張力部材４１が配設されている。張力部材４１も、張力部材３３と同様に、紐、ワイヤーなどの張力が発生する適宜な線材が採用され、その素材については耐久性などを考慮して適宜なものが選択される。張力部材４１は、１本であっても、２本以上の複数本であってもよく、複数本の場合には、スクリーン２８の上下方向に一定の間隔で配設することができる。
【００６０】
張力部材４１は、一端４１１がスクリーン取付枠部２５に固定され、他端４１２側は、スクリーン取付枠部２４の内部に引き回され、スライドガイド枠部２９の左端側の自由端に固定されている。張力部材４１のスクリーン取付枠部２４の内部における引き回し方は特に制限はなく、必要な張力が得られるように、たとえば、一旦下側に屈曲させた後、スクリーン取付枠部２４の下端部において上側に屈曲させるなどの適宜な方式とすることができる。
【００６１】
張力部材４１によってスクリーン２８の自立性が確保されるとともに、面強度を高めることができる。また、収縮および展開が張力部材４１にガイドされ、スムーズに行われる。
【００６２】
このようなスクリーン装置２３は、通常、スクリーン取付枠部２４、２５の間にスクリーン２８が取り付けられ、スライドガイド枠部２９がスクリーン２８の下端部付近に配設され、張力部材３３、４１が配線された状態に工場で組み立てられて出荷される。張力部材３３の配線は、他端３３２側がスクリーン取付枠部２４から外部に引き出されるまで行われる。施工現場では、この状態のまま建物の開口部などにスクリーン装置２３が設置される。
【００６３】
スクリーン装置２３の大きさは、建物の開口部などの大きさを見越してある程度規格化しておくことができるが、全ての開口部などの大きさに対応して生産することは難しい。また、開口部などの大きさは建物の建付け具合などによって微妙に異なることが多いため、横開き式のスクリーン装置２３の場合、丈寸法が開口部などの縦寸法に合わせて調整が必要とされる。
【００６４】
スクリーン装置２３では、上記の通り、スライドガイド枠部２９の自由端に一端３３１が固定され、スクリーン取付枠部２４の内部に引き込まれた張力部材３３が、スクリーン取付枠部２４の上端部から中央部寄りのところでスクリーン２８の取付側と反対側の外部に引き出されているため、スクリーン装置２３の丈寸法が建物の開口部などの縦寸法よりも長い場合には、張力部材３３が外部に引き出されている部分から上側においてスクリーン装置２３を、電動鋸などの切断工具を用いて切断し、開口部などの縦寸法に合うように丈寸法を切り詰めることができる。この切断によって、スクリーン取付枠部２４、２５およびスクリーン２８は一度に切断され、切断は、張力部材３３、４１およびスライドガイド枠部２９により支障されず、張力部材３３、４１が配線された工場出荷の組み立て状態のまま行うことができる。張力部材３３、４１を一旦引き抜いて切断し、配線したり、スライドガイド枠部２９を一旦取り外し、再取り付けしたりするなどの分解および再組立を行う必要がなく、施工現場での寸法の切り詰めによる調整は容易である。
【００６５】
図５は、図４に示したスクリーン装置２３に基づく本発明のスクリーン装置の一実施形態を示した正面図である。図５図中には図４に示したスクリーン装置２３に対応する部分に同一の符号を付し、その説明を省略する。
【００６６】
図４に示したスクリーン装置２３はいわゆる片開き式であるが、図５に示したスクリーン装置４２は両開き式である。一方、スクリーン装置４２は、図４に示したスクリーン装置２３を基本としており、スクリーン装置４２では、スクリーン装置２３から戸当たり３７および張力部材３３の他端３３２側を戸当たり３７に固定するための固定ピース３８を除いた部分をユニット４３とし、２つのユニット４３がほぼ左右対称に配設されている。また、スクリーン装置４２では、上レール２６および下レール２７が２つのユニット４３で共用とされている。
【００６７】
そして、スクリーン装置４２では、左側のユニット４３においてスクリーン取付枠部２４から外部に引き出され、上キャップ３６で屈曲し、右方向に延びる張力部材８の他端３３２側が、上レール２６の内部に引き込まれるとともに、右側のユニット４３のスクリーン取付枠部２４の上端部に取り付けられた上キャップ３６に掛けられて下側に屈曲され、右側のユニット４３のスクリーン取付枠部２４の内部に引き回され、他端３３２が右側のユニット４３のスライドガイド枠部２９の自由端に固定されている。すなわち、スクリーン装置４２では、左右両ユニット４３において張力部材３３が共用とされている。このようにして左右のユニット４３に配設されたスライドガイド枠部２９のそれぞれに一端３３１と他端３３２が固定された張力部材３３には必要な張力がかかり、両ユニット４３のスクリーン取付枠部２４の内部に引き込まれるとともに上レール２６の内部に引き込まれているので、建物の開口部などに露出しない。張力部材３３が、たとえば窓の開閉操作や人の出入りなどに邪魔になることはなく、外観上も良好となる。
【００６８】
スクリーン装置４２では、上記の通りのユニット４３が２つほぼ左右対称に配設されているので、図４に示したスクリーン装置２３と同様に、張力部材３３がスライド移動可能なスクリーン取付枠部２４の外部に引き出されている部分から上側においてユニット４３を電動鋸などの切断工具を用いて切断し、開口部などの縦寸法に合うように丈寸法を切り詰めることができる。その際には、両ユニット４３において上キャップ３６をスクリーン取付枠部２４から取り外しておくことができ、施工現場での寸法の切り詰めによる調整は容易である。
【００６９】
また、戸当り３７が省略されているので、スクリーン装置４２は、上レール２６および下レール２７を左右のユニット４３において共用としていることからも、部品がさらに削減され、在庫管理が容易となっている。
【００７０】
なお、張力部材３３の他端３３２は、工場出荷時に右側のユニット４３のスライドガイド枠部２９に固定せず、調整後にスライドガイド枠部２９の自由端に固定するようにして、スクリーン装置４２の設置作業をさらに容易にすることができる。この場合、張力部材３３の他端３３２の固定を容易とするために、たとえば、図４に示したクランクピース３４を縦長の部材とし、クランクピース３４にスクリーン取付枠部２４の内外を連通する縦長のスリットを形成しておくことができる。このスリットを通じて張力部材３３の他端３３２側を右側のユニット４３のスクリーン取付枠部２４の内部に容易に引き込むことができ、スライドガイド枠部２９の自由端への固定が容易となる。
【００７１】
図６は、図５に示したスクリーン装置４２の変形例としての本発明のスクリーン装置の一実施体形態を示した正面図である。図６図中には図５に示したスクリーン装置４２に対応する部分に同一の符号を付し、その説明を省略する。
【００７２】
スクリーン装置４４では、左右のユニット４３において張力部材３３を共用しない点において図５に示したスクリーン装置４２と本質的に異なっている。
【００７３】
左側のユニット４３においてスクリーン取付枠部２４から外部に引き出され、上キャップ９で屈曲し、右方向に延びる張力部材３３の他端３３２側は、上レール２６の内部に引き込まれ、上側に屈曲されるとともに、上レール２６の上端部において左側に屈曲されている。そして、他端３３２には、図４に示した固定ピース３８と同様に機能する固定ピース４５が結び付けられており、上レール２６の内側上端部に形成された溝部に固定ピース４５が嵌合し、ネジ４６によって固定されている。固定ピース４５の固定位置は上レール２６の長さ方向に変更自在とされている。固定ピース４５を介して他端３３２が上レール２６に固定されて張力部材３３には必要な張力がかかる。
【００７４】
右側のユニット４３においても同様であり、スクリーン取付枠部２４から外部に引き出され、上キャップ９で屈曲し、左方向に延びる張力部材３３の他端３３２側は、上レール２６の内部に引き込まれ、上側に屈曲されるとともに、上レール２６の上端部において右側に屈曲されている。そして、他端３３２には固定ピース４５が結び付けられており、上レール２６の内側上端部に形成された溝部に固定ピース４５が嵌合し、ネジ４６によって固定されている。固定ピース４５の固定位置は上レール２６の長さ方向に変更自在とされている。固定ピース４５を介して他端３３２が上レール２６に固定されて張力部材３３には必要な張力がかかる。
【００７５】
そして、左右のユニット４３に配設された張力部材３３はともに上レール４の内部に引き込まれているので、建物の開口部などに露出せず、張力部材３３が、たとえば窓の開閉操作や人の出入りなどに邪魔になることはなく、外観上も良好となる。
【００７６】
なお、スクリーン装置４４では張力部材４１が省略されているが、図５に示したスクリーン装置４２と同様に、また、図４に示したスクリーン装置２３と同様に、１本または２本以上の複数本の張力部材４１を配設し、スクリーン２８を収縮および展開方向に貫通して支持することができる。
【００７７】
このようなスクリーン装置４４も図５に示したスクリーン装置４２と同等の効果を奏する。
【００７８】
図７は、図４に示したスクリーン装置２３の変形例としての本発明のスクリーン装置の一実施形態を示した正面図である。図７図中には図４に示したスクリーン装置２３に対応する部分に同一の符号を付し、その説明を省略する。
【００７９】
スクリーン装置４７では、右側のスクリーン取付枠部２５が、左側のスクリーン取付枠部２４と同様に左右方向にスライド移動可能とされている。また、スクリーン２８の下端部付近に配設されたスライドガイド枠部２９が、左右両端ともに自由端とされ、スクリーン取付枠部２５には固定されず、スクリーン取付枠部２５内にも収納および引き出し可能とされている。スクリーン取付枠部２５を右方向にスライド移動させると、スライドガイド枠部２９はスクリーン取付枠部２５から引き出され、引き出された部分は直線性を保持し、スクリーン取付枠部２５を左方向にスライド移動させると、スライドガイド枠部２９は、スクリーン取付枠部２５の下端部において屈曲し、スクリーン取付枠部２５の内部に収納される。このようなスライドガイド枠部２９のスクリーン取付枠部２５内の収納および引き出しも、スクリーン２８の収縮および展開に同期して行われる。
【００８０】
スライドガイド枠部２９は、両スライドガイド枠部２４、２５内の収納および引き出しがスムーズに行われるなどのために、長さ方向の中央部に連結部材４８が配設され、連結部材４８を中心にほぼ左右対称な構造を有している。連結部材４８は、スライドガイド枠部２９における連結端の剛性ユニット３０に対応する構造を有するものとすることができ、たとえば、対向配置された一対の側壁部と、両側壁部を相互に繋ぐ架橋部とを有するものとすることができる。側壁部には、長さ方向の両端部に外側に突出する突起が配設され、この突起は、剛性ユニット３０の突起とほぼ同一の形状および大きさを有し、剛性ユニット３０の貫通孔３１と係合可能とされる。また、側壁部には、突起に隣接して端縁側に略三日月状の突起が配設され、この略三日月状の突起は、図４に示した剛性ユニット３０の略三日月状の長孔３２と係合可能とされる。そして、連結端に位置する剛性ユニット３０の貫通孔３１に連結部材４８の上記突起を内側から嵌め込んで係合させるとともに、長孔に略三日月状の突起を内側から嵌め込んで係合させることにより、連結部材４８を介してスライドガイド枠部２９は１本に連結され、連結部材４８を中心にしてほぼ左右対称な構造となる。
【００８１】
左右両端が自由端とされたスライドガイド枠部２９は、両スクリーン取付枠部２４、２５内に収納および引き出し可能とされているため、スクリーン２８を建物の開口部などの全体に展開したときのスクリーン装置４７の横幅が、図４に示したスクリーン装置２３に比べて拡大され、スクリーン装置の設計における幅と丈の比率の自由度が拡大する。
【００８２】
また、スクリーン装置４７では、スライドガイド枠部２９の左端側の自由端に一端３３１が固定された張力部材３３が、図４に示した張力部材３３と同様に、スクリーン取付枠部２４の上端部から中央部寄りのところでスクリーン２８の取付側と反対側の外側に引き出されている。引き出された張力部材３３は、スクリーン取付枠部２４のスクリーン２８の取付側と反対側の外面に沿ってスクリーン取付枠部２４の上端に向かい、スクリーン取付枠部２４の上端部に取り付けられた上キャップ３６に掛けられて左側に屈曲され、上レール２６の内部に引き込まれている。また、張力部材３３は、上レール２６の左端部において右側に屈曲され、上レール２６の右端部まで延び、スクリーン取付枠部２５の上端に取り付けられた上キャップ３６にかけられて下側に向かい、スクリーン取付枠部２５のスクリーン２８の取付側と反対側の外面に沿って下方に延び、スクリーン取付枠部２５の上端部から中央部寄りのところで内部に引き込まれている。そして、他端３３２がスライドガイド枠部２９の右端側の自由端に固定されている。
【００８３】
このようにしてスライドガイド枠部２９の左端側の自由端に一端３３１が固定され、右端側の自由端と他端３３２が固定されて、張力部材３３はループを形成し、張力部材３３には必要な張力がかかる。また、スクリーン取付枠部２４、２５の内部に引き込まれるとともに、上レール２６の内部に引き込まれているので、張力部材３３は、建物の開口部などに露出せず、たとえば窓の開閉操作や人の出入りなどに邪魔になることはなく、外観上も良好となる。
【００８４】
さらに、スクリーン装置４７では、図４に示した張力部材４１のスクリーン取付枠部２５に固定された一端４１１は、スライドガイド枠部２９の右端側の自由端に固定され、必要な張力がかかっている。スクリーン取付枠部２５の内部における張力部材４１の引き回しは、スクリーン取付枠部２４の内部における引き回しと対称にされている。一旦下側に屈曲させた後、スクリーン取付枠部２５の下端部において上側に屈曲させている。こうして張力部材４１は、プリーツ状のスクリーン２８を収縮および展開方向に貫通して支持している。
【００８５】
このようなスクリーン装置４７においても、スライドガイド枠部２９の自由端に一端３３１および他端３３２が固定され、スクリーン取付枠部２４、２５の内部に引き込まれた張力部材３３は、両スクリーン取付枠部２４、２５の上端部から中央部寄りのところでスクリーン２８の取付側と反対側の外部に引き出されているため、スクリーン装置４７の丈寸法が建物の開口部などの縦寸法よりも長い場合には、張力部材３３が外部に引き出されている部分から上側においてスクリーン装置４７を、電動鋸などの切断工具を用いて切断し、開口部などの縦寸法に合うように丈寸法を切り詰めることができる。この切断によって、スクリーン取付枠部２４、２５およびスクリーン２８は一度に切断され、切断は、張力部材３３、４１およびスライドガイド枠部２９により支障されず、張力部材３３、４１が配線された工場出荷の組み立て状態のまま行うことができる。張力部材３３、４１を一旦引き抜いて切断し、配線するなどの分解および再組立を行う必要がなく、施工現場での寸法の切り詰めによる調整は容易である。
【００８６】
なお、張力部材３３の他端３３２は、工場出荷時にスライドガイド枠部２９の右端側の自由端に固定せず、調整後にスライドガイド枠部２９の自由端に固定するようにして、スクリーン装置４７の設置作業をさらに容易にすることができる。この場合、張力部材３３の他端３３２の固定を容易とするために、たとえば、図４に示したクランクピース３４をスクリーン取付枠部２５にも配設し、スクリーン取付枠部２５に配設されるクランクピース４３を縦長の部材とするとともに、クランクピース４３にスクリーン取付枠部２５の内外を連通する縦長のスリットを形成しておくことができる。このスリットを通じて張力部材３３の他端３３２側をスクリーン取付枠部２５の内部に容易に引き込むことができ、スライドガイド枠部２９の自由端への固定が容易となる。
【００８７】
また、スクリーン装置４７は、スクリーン２８を建物の開口部などの全体に展開した状態において、中央部に関してほぼ左右対称の構造とすることもできるため、左右勝手に差はなく、スクリーン取付枠部２４、２５のどちらで操作しても同じ操作感が得られる。そして、スクリーン装置４７では、スクリーン取付枠部２４、２５が平行に保たれるためには、スクリーン取付部材２４、２５のいずれか一方は建物の開口部内縁などに固定しておく必要がある。スクリーン装置４７では、スクリーン取付枠部２５が建物の開口部内縁の右側などに固定されているが、スクリーン取付枠部２４を建物の開口部内縁の左側などに固定し、スクリーン取付枠部２５を左右方向にスライド移動させることも可能である。スクリーン取付枠部２４、２５の操作性および安定した平行移動は、上記のループを形成する張力部材３３によって向上する。
【００８８】
図８は、図７に示したスクリーン装置の変形例としての本発明のスクリーン装置の一実施形態を示した正面図である。図８図中には図７に示したスクリーン装置４７に対応する部分に同一の符号を付し、その説明を省略する。
【００８９】
スクリーン装置４９では、左右のスクリーン取付枠部２４、２５の間にセンターピラー５０が配設され、センターピラー５０は、両スクリーン取付枠部２５、２６と同様に左右方向のスライド移動が可能とされている。スクリーン２８は、センターピラー５０を挟んで左右両側に配設されている。すなわち、左側のスクリーン２８は、スクリーン取付枠部２４とセンターピラー５０との間に収縮および展開自在に取り付けられ、右側のスクリーン２８は、スクリーン取付枠部２５とセンターピラー５０との間に取り付けられている。
【００９０】
また、スクリーン装置４９では、スクリーン２８を収縮および展開方向に貫通して支持する張力部材４１は、左右両側のスクリーン２８で共用とされ、両スクリーン２８を貫通している。張力部材４１は、上記の通り、１本または２本以上の複数本設けることができ、この内の少なくとも１本の張力部材４１がセンターピラー５０に固定点５１において固定されている。
【００９１】
したがって、スクリーン装置４９では、スクリーン取付枠部２４の左右方向のスライド移動にともなってセンターピラー５０もスクリーン取付枠部２４のスライド方向と同方向にスライド移動し、左右のスクリーン２８が展開および収縮する。折り畳まれて収縮するスクリーン２８は、センターピラー５０とスクリーン取付枠部２４の間、センターピラー５０とスクリーン取付枠部２５との間にそれぞれ収納される。このようなスクリーン２８の収納を可能とするために、センターピラー５０には、スクリーン取付枠部２４、２５と同様な凹状のスクリーン収納部を設けることができる。また、スクリーン取付枠部２４を固定し、スクリーン取付枠部２５を左右方向にスライド移動させる場合にも、センターピラー５０は同様に左右方向にスライド移動する。
【００９２】
このようなセンターピラー５０もスクリーン取付枠部２４、２５と同様に、上下方向に延びる中空なバー状の部材ですることができ、アルミニウムなどの軽量材料により押出成形などが可能とされる。
【００９３】
そして、スクリーン装置４９は、上記の通り、センターピラー５０を備え、少なくとも１本の張力部材４１がセンターピラー５０に固定されているので、耐風圧性能が高まっている。強風時にも形状および構造が安定して保持される。また、広幅のスクリーン装置であっても、センターピラー５０によって収納代が拡大するので、折り畳まれて収縮するスクリーン２８を完全に収納することができ、スクリーン２８が露出せず、外観が良好となるとともに、収納時のスクリーン２８が汚れにくくなる。スクリーン装置４９は、図７に示したスクリーン装置４７にセンターピラー５０とスクリーン２８をもう１枚追加して形成することもでき、図７に示したスクリーン装置４７を基本として用意し、施工現場に応じてセンターピラー５０およびスクリーン２８を後付けし、開口部などの大きさに合わせた広幅のスクリーン装置４９に調整することができる。
【００９４】
また、スクリーン装置４９は、図７に示したスクリーン装置４７を基本としているので、スクリーン装置４７と同様に、丈寸法の調整など、同等な効果を奏する。
【００９５】
このようにセンターピラー５０を配設する場合、スクリーン取付枠部２４、２５とセンターピラー５０との間の平行関係は、張力部材４１においてセンターピラー５０に固定された固定点５１から一端４１１、固定点５１から他端４１２までの長さを調整することによって調整することができる。
【００９６】
また、スクリーン取付枠部２４、２５とセンターピラー５０との間の平行関係をより確実かつ安定に実現するために、たとえば図８に示したように、センターピラー５０をネジ５２などによってスライドガイド枠部２９に連結部材４８などにおいて固定し、センターピラー５０に固定する張力部材４１は、スクリーン２８のできる限り上部に位置させることができる。
【００９７】
この他、図９に示したように、センターピラー５０は、スライドガイド枠部２９には固定せずに、スライドガイド枠部２９に沿って左右方向にスライド移動可能とし、張力部材４１をスクリーン２８の上部および下部の２箇所に貫通させ、張力部材４１をセンターピラー５０の上下２箇所に固定点５１において固定することができる。
【００９８】
この場合、図１０にセンターピラー５０の周辺を部分的に示したように、センターピラー５０の下端部に左右方向に貫通するガイド部５３を形成し、ガイド部５３の上端にセンターピラー５０の正面部および背面部から内側に突出するガイドリブ５４を突設することができる。ガイド部５３の内部にスライドガイド枠部２９を左右方向に通すことにより、センターピラー５０は、ガイド部５３における内面、ガイドリブ５４の下面の少なくともいずれか一つの面がスライドガイド枠部２９に摺接するなどして、センターピラー５０は、スライドガイド枠部２９に沿って左右方向にスライド移動可能となる。また、センターピラー５０のスライド移動は、スライドガイド枠部２９の収納および引き出し時の移動に干渉せず、安定して行なわれる。
【００９９】
なお、図１０に示したように、センターピラー５０には、左右の側面部に凹状のスクリーン２８の収納部５５を形成することができる。
【０１００】
また、スライドガイド枠部２９を形成している剛性ユニット３０は、上記の通り、対向配置された一対の側壁部５６と、両側壁部５６を相互に繋ぐ架橋部５７とを有している。側壁部５６には、長さ方向の一端部に外側に突出する突起５８が配設され、他端部に突起５８が係合可能な貫通孔３１が形成されている。また、図１０にも図示を省略しているが、側壁部５６には、突起５８に隣接して貫通孔３１と反対側の位置に外側に突出する小突起が配設されるとともに、貫通孔３１に隣接して突起５８の側に、図４に示した長孔３２に相当する略三日月状の長孔が形成されている。
【０１０１】
この他、スクリーン取付枠部２４、２５とセンターピラー５０との間の平行関係をより確実かつ安定に実現するために、図１１に示したように、センターピラー５０は、スライドガイド枠部２９に固定しないばかりかスライドガイド枠部２９と無縁とし、下端をスライドガイド枠部２９に干渉しない程度に配置して、上端部において上レール２６に吊持させることができる。この場合、図９に示したスクリーン装置４９と同様に、張力部材４１をスクリーン２８の上部および下部の２箇所に貫通させ、張力部材４１をセンターピラー５０の上下２箇所に固定点５１において固定する。
【０１０２】
センターピラー５０の上端部の表面側および背面側の両側面には回転可能なランナー５９が配設されている。上レール２６の表面部および背面部の内側には、ランナー５９を案内するランナーレール６０が配設されている。ランナーレール６０は、上レール２６の高さ方向の中央部付近に延設された、下方に折れ曲がった断面略Ｌ字型の形状を有するレール片６１と、上レール２６の下端から延設された、上方に折れ曲がった断面略Ｌ字型の形状を有するレール片６２とから形成されている。ランナー５９は、ランナーレール６０のレール片６１、６２の間に挿入され、ランナーレール６０から抜け外れることなく、ランナーレール６０に沿って回転することができ、この回転によって、センターピラー５０がスクリーン装置４９の左右方向にスライド可能となる。
【０１０３】
スクリーン取付枠部２４、２５は、通常、床面などの基準面に対して垂直に設置されるため、上レール２６に上端部において吊持されたセンターピラー５０は、自重によってスクリーン取付枠部２４、２５に対して平行関係を保持することができる。
【図面の簡単な説明】
【０１０４】
【図１】本発明のスクリーン装置の一実施形態を示した分解斜視図である。
【図２】図１に示したスクリーン装置の丈寸法の調整作業を例示した斜視図である。
【図３】図１に示したスクリーン装置に基づく本発明のスクリーン装置の一実施形態を示した斜視図である。
【図４】本発明のスクリーン装置の一実施形態を示した正面図である。
【図５】図４に示したスクリーン装置に基づく本発明のスクリーン装置の一実施形態を示した正面図である。
【図６】図５に示したスクリーン装置の変形例としての本発明のスクリーン装置の一実施体形態を示した正面図である。
【図７】図４に示したスクリーン装置の変形例としての本発明のスクリーン装置の一実施形態を示した正面図である。
【図８】図７に示したスクリーン装置の変形例としての本発明のスクリーン装置の一実施形態を示した正面図である。
【図９】図８に示したスクリーン装置の変形例としての本発明のスクリーン装置の一実施形態を示した正面図である。
【図１０】図９に示したスクリーン装置のセンターピラー周辺を示した要部斜視図である。
【図１１】図８に示したスクリーン装置の変形例としての本発明のスクリーン装置の一実施形態を示した要部断面図である。
【符号の説明】
【０１０５】
１、１７  スクリーン装置
２、３  スクリーン取付枠部
６  スクリーン
８  張力部材
２３、４２、４４、４７、４９  スクリーン装置
２４、２５  スクリーン取付枠部
２６  上レール
２８  スクリーン
２９  スライドガイド枠部
３０  剛性ユニット
３３  張力部材
３３１  一端
３３２  他端
３７  戸当り
５０  センターピラー
【図１】
2010037857.tif 000003
【図２】
2010037857.tif 000004
【図３】
2010037857.tif 000005
【図５】
2010037857.tif 000006
【図６】
2010037857.tif 000007
【図７】
2010037857.tif 000008
【図８】
2010037857.tif 000009
【図９】
2010037857.tif 000010
【図１０】
2010037857.tif 000011
【図１１】
2010037857.tif 000012
【図４】
2010037857.tif 000013